(57)【特許請求の範囲】
【請求項１】
屋外側の金属製の金属枠部の屋内側に合成樹脂製の樹脂枠部を結合するとともに、内側に可動障子の戸当り部又は戸受け部を設けた障子枠を有する断熱サッシにおいて、上記障子枠の戸当り部又は戸受け部を、上記金属枠の屋内側の外側縁と上記樹脂枠部の屋外側の内側縁とを重合して形成し、上記可動障子を直接に受けるタイト材は外側縁に取り付け、内側縁の先端を外側縁の先端に形成された係止片に係止させた状態で建屋躯体の開口部に固定することを特徴とする断熱サッシにおける戸当り又は戸受け構造。
【発明の詳細な説明】
【０００１】
【発明の属する技術分野】
本発明は断熱サッシにおける可動障子を受ける障子枠の戸当り又は戸受け構造の改善に関する。
【０００２】
【従来技術】
一般に、断熱サッシの障子枠として屋外側の金属部と屋内側の合成樹脂部とを結合したものが知られているが、上記障子枠に辷り出し戸、開き戸、ルーバー等の可動障子を設ける場合、特開平１１ー１０７６３１号公報の図面に符号２１で示されるように、障子枠の戸当りは合成樹脂部に設けられることが多い。そのため、合成樹脂部の戸当り部に嵌合溝を形成し、この嵌合溝にビード材を嵌合させて合成樹脂部を建屋躯体の開口部にネジ止め固定している。
【０００３】
【発明が解決しようとする課題】
しかしながら、合成樹脂部の戸当り部は強度が大きくないから、可動障子が開閉のたびに繰り返して戸当り部に当たって戸当り部を押圧するうちに変形したり劣化したりしやすい。
【０００４】
また、上げ下げ窓の場合にも、可動障子の屋内側の面を受ける戸受け部は可動障子が開閉のたびに擦られるから、強度が高い方が望ましい。
【０００５】
本発明は上記問題点を解消し、戸当り部又は戸受け部を補強して強度を向上させることができる断熱サッシにおける戸当り構造を提供することをその課題とする。
【０００６】
【課題を解決するための手段】
前記課題を解決するため、本発明に係る断熱サッシにおける戸当り又は戸受け構造は、屋外側の金属製の金属枠部の屋内側に合成樹脂製の樹脂枠部を結合するとともに、内側に可動障子の戸当り部又は戸受け部を設けた障子枠を有する断熱サッシにおいて、上記障子枠の戸当り部又は戸受け部を、上記金属枠の屋内側の外側縁と上記樹脂枠部の屋外側の内側縁とを重合して形成し、上記可動障子を直接に受けるタイト材は外側縁に取り付け、内側縁の先端を外側縁の先端に形成された係止片に係止させた状態で建屋躯体の開口部に固定することを特徴とする。
【０００７】
【発明の実施の形態】
図１及び図２はそれぞれ縦辷り出し窓の縦断面図及び横断面図であり、図３は図１の要部の拡大図である。縦辷り出し窓は断熱サッシで、可動障子１Ａと可動障子１Ａの戸当り部Ｐを備えた障子枠１Ｂとから成り、可動障子１Ａは図示しない辷り出しアームに辷り出し可能に保持されている。なお、３はカムラッチハンドル、４は辷り出しアームの固定金具である。
【０００８】
可動障子１Ａは、上下框材５、６及び左右の縦框材７を方形に框組みし、内側にペアガラス８を嵌合させたもので、上下框材５、６及び左右の縦框材７はいずれも、ベースとなる屋外側のアルミニウムによる金属框部ａ１と、屋内側に露出する合成樹脂による樹脂框部ｂ１とを結合した構造になっている。そして、可動障子１Ａの屋外側端部からは四方に張り出し縁９が形成され、張り出し縁９の内側周縁にはタイト材１０が取り付けられている。
【０００９】
障子枠１Ｂは上下枠材１１、１２及び左右の縦枠材１３を方形に枠組みしたもので、上下枠材１１、１２及び左右の縦枠材１３はいずれも、ベースとなる屋外側のアルミニウムによる金属枠部ａと、屋内側に露出する合成樹脂による樹脂枠部ｂとを結合した構造になっている。樹脂枠部ｂは金属枠部ａの係止部位１４で係止するとともに、ネジ１５で一体に結合している。１６は断熱サッシを躯体開口部に固定するための固定ネジである。
【００１０】
なお、上記可動障子１Ａと障子枠１Ｂの樹脂部ｂは塩化ビニルやアクリル樹脂等から成形するが、これらの樹脂材には木粉を混入させて木材のような質感を出すようにしてもよい
次に、上記障子枠１Ｂの屋内側には、可動障子１Ａの屋内側に面する周縁部を受ける戸当り部Ｐが形成されている。この戸当り部Ｐは金属枠部ａの屋内側から内方に突出形成された外側縁１７と樹脂枠部ｂの屋外側から内方に突出形成された内側縁１８とを重合して成るもので、二重壁構造になっている。
【００１１】
外側縁１７の先端部の外側には嵌合溝２０が形成され、嵌合溝２０にはタイト材２４が嵌合されている。また、外側縁１７の先端には係止片２１が突出形成されている。これに対し、内側縁１８の先端はＬ字形に屈曲し、屈曲部の先端には鈎状又は溝状の係止部２２が形成されている。
【００１２】
そして、上記外側縁１７の係止片２１は内側縁１８の係止部２２に係止している。また、外側縁１７と内側縁１８とは間隔保持片２３を介して一定の間隔に保持され、一部においてネジ１５により一体的に結合している。
【００１３】
上述のように、戸当り部Ｐは外側縁１７と内側縁１８との２重壁構造になっており、可動障子１Ａを直接に受けるのは金属製の外側縁１７であるから、可動障子１Ａが開閉のたびに繰り返して戸当り部Ｐに当たっても、曲げや変形が生じにくく、強度が高く耐久性も格段に向上する。
【００１４】
また、外側縁１７の屋内側は合成樹脂製の内側縁１８に覆われているので、断熱性が高く、室内側が結露することも有効に防止される。
【００１５】
さらに、内側縁１８は外側縁１７に係止させた状態で建屋躯体の開口部に固定するものであるから、ネジなどをあまり使う必要がない。したがって、簡単に外側縁１７と内側縁１８とを簡単に分離できるので、劣化した合成樹脂部を新しいものに交換したり、あるいは古くなった断熱サッシを取り外したときにリサイクルのために金属部と合成樹脂部とに分離する作業も容易に行なうことができる。
【００１６】
なお、内側縁１８は外側縁１７の先端に形成された係止片２１に係止して取り付けるので、内側縁１８の取り付け作業を容易かつ迅速に行なうことができる。
【００１７】
次に、図４及び図５はそれぞれテラス窓の縦断面図及び横断面図である。これも断熱サッシで、可動障子２Ａと可動障子２Ａの戸当り部を備えた障子枠２Ｂとから成り、可動障子２Ａはピボットヒンジ２５に開閉可能に保持されている。２６はハンドルである。
【００１８】
可動障子２Ａと障子枠２Ｂの基本的構成は上述の縦辷り出し窓とほとんど同じであり、屋外側のアルミニウムによる金属框部ａ１と屋内側の合成樹脂による樹脂框部ｂ１とを結合した構造になっている。したがって、同じ部品は同じ符号で示す。
【００１９】
次に、上記障子枠２Ｂには可動障子の戸当り部Ｐが形成されている。この戸当り部Ｐも外側縁１７と内側縁１８とから成る二重壁構造である。
【００２０】
上枠材と左右縦枠材において、外側縁１７の先端外側には嵌合溝２０が形成され、嵌合溝２０にはタイト材２４が嵌合されている。また、外側縁１７の先端には係止片２１が突出形成されている。これに対し、内側縁１８の先端はＬ字形に屈曲し、屈曲部の先端には鈎状又は溝状の係止部２２が形成されている。
【００２１】
下枠材においても戸当り部Ｐが形成されているが、障子枠２Ｂの敷居と同じ高さに形成され、外側縁１７の先端外側には嵌合溝２０が形成され、嵌合溝２０にはタイト材２４が嵌合されている。また、外側縁１７の先端には係止片２１が突出形成されている。これに対し、内側縁１８は躯体開口部の内周面と略面一に形成され、その先端には係止部２２が形成されている。
【００２２】
上記各枠材において、内側縁１８の係止部２２は上記外側縁１７の係止片２１に係止している。また、上枠材と左右縦枠材においては、戸当り部Ｐを構成する外側縁１７又は内側縁１８とは間隔保持片２３を介して一定の間隔を保持するとともに、一部においてネジ１５により一体的に結合している。下枠材においては、外側縁１７と内側縁１８とは係止によって一体的に結合している。
【００２３】
上述の例においても、戸当り部Ｐは外側縁１７と内側縁１８との２重壁構造になっており、可動障子２Ａを直接に受けるのは金属製の外側縁１７であるから、可動障子が開閉のたびに繰り返して戸当り部Ｐに当たっても、曲げや変形が生じにくく、強度が高く耐久性も格段に向上する。
【００２４】
また、外側縁１７の屋内側は合成樹脂製の内側縁１８に覆われているので、断熱性が高く、室内側が結露することも有効に防止される。
【００２５】
さらに、簡単に外側縁１７と内側縁１８とを簡単に分離して合成樹脂部を交換したり、リサイクルに供したりする作業も容易に行なうことができる。
【００２６】
もちろん、内側縁１８は外側縁１７の先端に形成された係止片２１に係止して取り付けるので、内側縁１８の取り付け作業を容易かつ迅速に行なうことができる。
【００２７】
次に、図６及び図７はそれぞれダブルルーバーサッシの縦断面図及び横断面図である。これも断熱サッシで、複数のルーバー３Ａ（可動障子に含まれるものとする）とルーバー３Ａの戸当り部Ｐを備えた障子枠３Ｂとから成り、ルーバー３Ａは縦枠材３５に設けられた支軸２８に回動自在に取り付けられ、内側のルーバー３Ａは縦枠材３５の長手方向に沿って移動可能な作動杆２９の軸３０に軸着されている。３１は操作ハンドル、３２は網戸である。なお、ルーバー３Ａはすべて同時に開閉作動するが、図５の上部はルーバー３Ａが開いた状態、下部はルーバー３Ａが閉じた状態を示している。
【００２８】
障子枠３Ｂは上下枠材３３、３４及び左右の縦枠材３５を方形に枠組みしたもので、上下枠材３３、３４及び左右の縦枠材３５はいずれも、屋外側のアルミニウムによる金属枠部ａと屋内側の合成樹脂による樹脂枠部ｂとをネジ１５で結合した構造になっている。そして、上記障子枠３Ｂの上枠材には最上部のルーバー３Ａの閉じ時の外側上端面を受ける戸当り部Ｐが形成されている。縦枠材３５の内面側には、各ルーバー３Ａの側面に当接するタイト材２４を備えた補助縦枠が嵌合保持されている。
【００２９】
これに対し、障子枠３Ｂの下枠材の屋外側と屋内側には、それぞれ最下部のルーバー３Ａの内側下端面を受ける戸当り部Ｐが形成されている。この戸当り部Ｐは外側縁１７と内側縁１８とから成る二重壁構造になっている。
【００３０】
外側縁１７の先端外側には嵌合溝２０が形成され、嵌合溝２０にはタイト材２４が嵌合されている。また、外側縁１７の先端には係止片２１が突出形成されている。これに対し、内側縁１８の先端には鈎状又は溝状の係止部２２が形成されている。そして、上記内側縁１８の係止部２２は上記外側縁１７の係止片２１に係止している。
【００３１】
上述の例においても、下枠材の戸当り部Ｐは外側縁１７と内側縁１８との２重壁構造になっているから、強度が高く耐久性は格段に向上するほか、外側縁１７の屋内側は内側縁１８に覆われているので、断熱性が高く、室内側が結露することも有効に防止される。
【００３２】
さらに、簡単に外側縁１７と内側縁１８とを簡単に分離して合成樹脂部を交換したり、リサイクルに供したりする作業も容易に行なうことができる。
【００３３】
上述の例はいずれも可動障子４Ａの戸当り部Ｐに関するものであるが、可動障子４Ａを受ける構造においても適用することができる。例えば、図８及び図９はそれぞれ上げ下げ窓の縦断面図及び横断面図である。これも断熱サッシで、可動障子４Ａと可動障子４Ａの戸受け部Ｑを備えた障子枠４Ｂとから成り、可動障子４Ａは上下方向に摺動可能に保持されている。
【００３４】
可動障子４Ａと障子枠４Ｂの基本的構成は上述の縦辷り出し窓とほとんど同じであり、可動障子４Ａは屋外側のアルミニウムによる金属框部ａ１と屋内側の合成樹脂による樹脂框部ｂ１とを結合し、障子枠４Ｂは金属枠部ａと樹脂枠部ｂとを結合した構造になっている。したがって、同じ部品は同じ符号で示す。なお、可動障子４Ａを構成する内障子４Ａ１も外障子４Ａ２もともに左右両側面にはタイト材２４が取り付けられ、障子枠４Ｂに当接している。
【００３５】
次に、上記障子枠４Ｂには可動障子４Ａの戸受け部Ｑが形成されている。この戸受け部Ｑは外側縁１７と内側縁１８とから成る二重壁構造である。
【００３６】
すなわち、上枠材において、外側縁１７の先端（下端）には係止片２１が突出形成されている。これに対し、内側縁１８の先端はＬ字形に屈曲し、屈曲部の先端には鈎状又は溝状の係止部２２が形成されている。そして、内側縁１８の係止部２２は上記外側縁１７の係止片２１に係止している。
【００３７】
縦枠材３５及び下枠材においては、外障子４Ａ２の戸受け部Ｑは外側縁１７によって内障子４Ａ１の戸受け部Ｑは内側縁１８によって形成されている。
【００３８】
なお、上枠材と下枠材においては、外側縁１７と内側縁１８とは係止によって一体的に結合している。また、縦枠材３５の中央に沿って内外障子４Ａ２の案内部の境界を構成する合成樹脂製の合成樹脂製カバー３６が取り付けられている。
【００３９】
上述の例においても、上枠材の戸受け部Ｑは外側縁１７と内側縁１８との２重壁構造になっており、強度及び断熱性が高い。
【００４０】
また、内側縁１８は外側縁１７に係止させた状態で建屋躯体の開口部に固定するものであるから、ネジなどをあまり使う必要がない。したがって、簡単に外側縁１７と内側縁１８とを簡単に分離できるので、劣化した合成樹脂部を新しいものに交換したり、あるいは古くなった断熱サッシを取り外したときにリサイクルのために金属部と合成樹脂部とに分離する作業も容易に行なうことができる。
【００４１】
さらに、内側縁１８は外側縁１７の先端に形成された係止片２１に係止して取り付けるので、内側縁１８の取り付け作業を容易かつ迅速に行なうことができる。
【００４２】
【発明の効果】
請求項１に係る発明によれば、戸当り部又は戸受け部は外側縁と内側縁との２重壁構造になっており、可動障子を直接に受けるのは金属製の外側縁であるから、可動障子が開閉のたびに繰り返して戸当り部又は戸受け部に当たっても、曲げや変形が生じにくく、強度が高く耐久性も格段に向上する。
【００４３】
また、戸当り部又は戸受け部の外側縁の屋内側は内側縁に覆われているので、断熱性が高く、室内側が結露することも有効に防止される。
【００４４】
さらに、内側縁は外側縁に係止させた状態で建屋躯体の開口部に固定するものであるから、ネジなどをあまり使う必要がない。したがって、簡単に外側縁と内側縁とを分離できるので、劣化した内側縁を新しいものに交換したり、あるいは古くなった断熱サッシを取り外したときにリサイクルのために金属部と合成樹脂部とに分離する作業も容易に行なうことができる。
【００４５】
しかも、内側縁は外側縁の先端に形成された係止片に係止して取り付けるので、内側縁の取り付け作業を容易かつ迅速に行なうことができる。
【図面の簡単な説明】
【図１】縦辷り出し窓の縦断面図
【図２】上記縦辷り出し窓の横断面図
【図３】図１の要部の拡大図
【図４】テラス窓の縦断面図
【図５】テラス窓の横断面図
【図６】ルーバーサッシの縦断面図
【図７】ルーバーサッシの横断面図
【図８】上げ下げ窓の縦断面図
【図９】上げ下げ窓の横断面図
【符号の説明】
Ｐ  戸当り部
Ｑ  戸受け部
ａ  金属枠部
ｂ  樹脂枠部
１７  外側縁
１８  内側縁
２４  タイト材
【図１】
0003565780.tif 000002
【図２】
0003565780.tif 000003
【図３】
0003565780.tif 000004
【図４】
0003565780.tif 000005
【図５】
0003565780.tif 000006
【図６】
0003565780.tif 000007
【図７】
0003565780.tif 000008
【図８】
0003565780.tif 000009
【図９】
0003565780.tif 000010